【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
３次元のモノリシックな一体成形のシュラウド・アセンブリを形成する工程を備え、
前記シュラウド・アセンブリは、
面壁平面を実質的に画定する面壁、及び、前記面壁平面から第１方向に延出するオリフィス壁を有するシュラウドと、
前記モノリシックなシュラウド・アセンブリの前記シュラウドから分離された後に、少なくとも前記オリフィス壁により規定された通路を少なくとも部分的に閉鎖可能になっているドアと、
前記オリフィス壁又は前記ドアの一方にある磁石収納部と、
前記ドア又は前記オリフィス壁の一方にあるストライカ収納部と、
を有し、
前記磁石収納部は、分離締結具なしで共に保持された磁性アセンブリを収容するための少なくとも１つの開放端部を有し、
前記ストライカ収納部は、前記ストライカ部材を受け入れるように構成され、
前記シュラウドから前記ドアを分離させる工程と、
分離締結具なしで前記磁性アセンブリ収納部内に前記磁性アセンブリを挿入して保持させる工程と、
分離締結具なしで前記ストライカ収納部内に前記ストライカ部材を挿入して保持させる工程と、
前記ストライカ収納部を前記磁石収納部に隣接させて配置する工程と、
をさらに備える、送風機部のためのハウジング・アセンブリを製造する方法。
【請求項２】
前記磁石収納部は前記オリフィス壁の内側に形成されるとともに、前記ストライカ収納部は前記ドアの外側に形成され、
前記ストライカ収納部を前記磁石収納部に隣接させて配置する工程は、前記ドアの外側を前記内側に配置するように前記ドアを反転させることで、前記ストライカ収納部が前記オリフィス壁の内側の磁石収納部に隣接して配設される、請求項１に記載の方法。
【請求項３】
前記ドアは第１ヒンジ収納部と第２ヒンジ収納部とを有するように形成され、
分離締結具なしで第１ヒンジピンを前記第１ヒンジ収納部に挿入させて保持させるとともに、分離締結具なしで第２ヒンジピンを前記第２収納部に挿入させて保持させる工程を備える、請求項１または２に記載の方法。
【請求項４】
前記３次元のモノシリックなシュラウド・アセンブリを形成する工程は、前記オリフィス壁の外側を取り囲み前記オリフィス壁と同じ方向に前記面壁から延出する複数のスペーサを形成する工程と、
複数の前記シュラウドを積層する工程と、
をさらに有し、
前記複数のシュラウドを積層する工程において、少なくとも２つのドアが、積層された前記複数のシュラウドの各々の間にあり、積層状態で隣り合うシュラウドが、互いに間隔を空けながら前記スペーサによって支持される、請求項１乃至３のいずれか一項に記載の方法。
【請求項５】
複数の実質的に平坦なディフューザ部材をプラスチックから形成する工程をさらに備え、
形成された少なくとも１つの副次的な複数の実質的に平坦な前記ディフューザ部材が、連結され前記形成されたシュラウドに組み立てられる、請求項１乃至４のいずれか一項に記載の方法。
【請求項６】
前記複数の実質的に平坦なディフューザ部材のそれぞれに少なくとも１つのスロットを形成する工程と、
前記複数の実質的に平坦なディフューザ部材のそれぞれに少なくとも１つのタブを形成する工程と、
円錐状のディフューザを形成するべく前記複数の実質的に平坦なディフューザ部材を連結する工程と、
をさらに備え、
前記連結する工程において、全てのタブが前記円錐状のディフェーザの内方側に配置されると共に、前記円錐状のディフェーザが分離締結具なしで組み立てられ共に保持されるように、前記円錐状のディフェーザの外方側から内方側に向かって、各ディフューザ部材の少なくとも１つのタブを、隣り合うディフューザ部材の協働スロットに貫通させる、請求項５に記載の方法。
【請求項７】
前記磁性アセンブリ収納部内に前記磁性アセンブリを挿入して保持させる工程は、前記磁性アセンブリの刻み目を前記磁性アセンブリ収納部の内面に対して係合させる工程を含み、
前記ストライカ収納部内に前記ストライカ部材を挿入して保持させる工程は、前記ストライカ部材の刻み目を前記ストライカ収納部の内面に対して係合させる工程を含む、請求項１乃至６のいずれか一項に記載の方法。
【請求項８】
グリルの環状外側部材が環状の形状で前記ディフェーザの遠位端を支持して保持するように、分離締結具なしでグリルを円錐状のディフューザに連結する工程をさらに備える、請求項１乃至７のいずれか一項に記載の方法。
【請求項９】
前記磁性アセンブリを挿入して保持させる工程は、
第１のサイドプレートの第１ｊ字状部分を前記磁石収容部内に通す工程と、
前記磁石収容部の上部を前記第１のサイドプレートの第１ｔ字状部分に係合させる工程と、
第２のサイドプレートの第２ｊ字状部分を前記磁石収容部内に通す工程と、
前記磁石収容部の上部を前記第２のサイドプレートの第２ｔ字状部分に係合させる工程と、
前記磁石収容部内で前記第１のサイドプレートと前記第２のサイドプレートとの間に磁石を配置する工程と、
を含む、請求項１乃至８のいずれか一項に記載の方法。
【請求項１０】
前記磁性アセンブリ収納部内に前記磁性アセンブリを挿入して保持させる工程は、前記磁性アセンブリを前記磁性アセンブリ収納部の内面に対して摩擦係合させる工程を含み、
前記ストライカ収納部内に前記ストライカ部材を挿入して保持させる工程は、前記ストライカ部材を前記ストライカ収納部の内面に対して摩擦係合させる工程を含む、請求項１乃至９のいずれか一項に記載の方法。
【請求項１１】
２つのＤからなるリブパターンを前記ドアに形成する工程をさらに備え、
前記ドアは或る素材厚さを有する素材から形成され、
前記ドアにおける前記２つのＤからなるリブパターンは、前記素材厚さより大きいドア厚さを形成している、請求項１乃至１０のいずれか一項に記載の方法。
【請求項１２】
３次元のモノリシックな一体成形のシュラウド・アセンブリを備え、
前記シュラウド・アセンブリは、
面壁平面を実質的に画定する面壁、及び、前記面壁平面から第１方向に延出するオリフィス壁を有するシュラウドと、
前記モノリシックなシュラウド・アセンブリの前記シュラウドから分離された後に、少なくとも前記オリフィス壁により規定された通路を少なくとも部分的に閉鎖可能になっているドアと、
前記オリフィス壁又は前記ドアの一方にある磁石収納部と、
前記ドア又は前記オリフィス壁の一方にあるストライカ収納部と、
を有し、
前記磁石収納部は、分離締結具なしで共に保持された磁性アセンブリを収容するための少なくとも１つの開放端部を有し、
前記ストライカ収納部は、前記ストライカ部材を受け入れるように構成され、
前記ドアは、前記３次元のモノリシックな一体成形のシュラウド・アセンブリから分離されていて、
前記磁性アセンブリは、分離締結具なしで前記磁性アセンブリ収納部内に挿入されて保持されていて、
前記ストライカ部材は、分離締結具なしで前記ストライカ収納部内に挿入されて保持されていて、
前記ストライカ収納部は、前記磁石収納部に隣接して配置されている、送風機部のためのハウジング・アセンブリ。
【請求項１３】
前記磁石収納部は前記オリフィス壁の内側に形成されるとともに、前記ストライカ収納部は前記ドアの外側に形成され、
前記ドアの外側を前記内側に配置するように前記ドアを反転させることで、前記ストライカ収納部が前記磁石収納部に隣接して配設される、請求項１２に記載のハウジング・アセンブリ。
【請求項１４】
前記ドアは第１ヒンジ収納部と第２ヒンジ収納部とを有し、
第１ヒンジピンが分離締結具なしで前記第１ヒンジ収納部内で保持されるとともに、第２ヒンジピンが分離締結具なしで前記第２収納部内で保持される、請求項１２または１３に記載のハウジング・アセンブリ。
【請求項１５】
前記３次元のモノシリックなシュラウド・アセンブリは、前記オリフィス壁の外側を取り囲み前記オリフィス壁と同じ方向に前記面壁から延出する複数のスペーサをさらに含み、
少なくとも２つのドアが、積層された複数の前記シュラウドの各々の間にある状態で、複数の前記シュラウドが積層された場合に、積層状態で隣り合うシュラウドが、互いに間隔を空けながら前記スペーサによって支持されている、請求項１２乃至１４のいずれか一項に記載のハウジング・アセンブリ。
【請求項１６】
複数の実質的に平坦なプラスチック製のディフューザ部材が共に連結され前記シュラウドを形成する、請求項１２乃至１５のいずれか一項に記載のハウジング・アセンブリ。
【請求項１７】
全てのタブが円錐状のディフェーザの内方側に配置されるように、前記円錐状のディフェーザの外方側から内方側に向かって、各ディフューザ部材の少なくとも１つのタブが、隣り合うディフューザ部材の協働スロットを貫通させられることで、前記複数の実質的に平坦なディフューザ部材が円錐状のディフューザを形成し、
前記円錐状のディフェーザが分離締結具なしで組み立てられている、請求項１６に記載のハウジング・アセンブリ。
【請求項１８】
前記磁性アセンブリは、前記磁性アセンブリ収納部の内面に係合する刻み目を含み、
前記ストライカ部材は、前記ストライカ収納部の内面に係合する刻み目を含む、請求項１２乃至１７のいずれか一項に記載のハウジング・アセンブリ。
【請求項１９】
分離締結具なしで円錐状のディフューザに連結されたグリルをさらに備え、
前記グリルの環状外側部材が環状の形状で前記ディフェーザの遠位端を支持して保持する、請求項１２乃至１８のいずれか一項に記載のハウジング・アセンブリ。
【請求項２０】
前記磁性アセンブリは、第１のサイドプレートの第１ｊ字状部分及び第２のサイドプレートの第２ｊ字状部分を含み、
前記磁石収容部の上部が前記第１のサイドプレートの第１ｔ字状部分に係合するようになっており、
前記磁石収容部の上部が前記第２のサイドプレートの第２ｔ字状部分に係合するようになっており、
磁石が、前記磁石収容部内で前記第１のサイドプレートと前記第２のサイドプレートとの間に配置されている、請求項１２乃至１９のいずれか一項に記載のハウジング・アセンブリ。
【請求項２１】
前記磁性アセンブリを前記磁性アセンブリ収納部の内面に対して摩擦係合させることで、前記磁性アセンブリが前記磁性アセンブリ収納部内で保持され、
前記ストライカ部材を前記ストライカ収納部の内面に対して摩擦係合させることで、前記ストライカ部材が前記ストライカ収納部内で保持される、請求項１２乃至２０のいずれか一項に記載のハウジング・アセンブリ。
【請求項２２】
前記磁性アセンブリは、第１のサイドプレートと、第２のサイドプレートと、前記磁石収容部内で前記第１のサイドプレートと前記第２のサイドプレートとの間に配置された磁石と、を有し、
前記第１のサイドプレートは、前記磁石収納部の第１の内面を前記第１のサイドプレートの外側端部に形成された第１刻み目に係合させることで、前記磁石収納部内で保持され、
前記第２のサイドプレートは、前記磁石収納部の第２の内面を前記第２のサイドプレートの外側端部に形成された第２刻み目に係合させることで、前記磁石収納部内で保持されている、請求項１２乃至２１のいずれか一項に記載のハウジング・アセンブリ。
【請求項２３】
前記ドア部材は、前記通路を解放するべく、互いに対して双方とも可動な第１ドア及び第２ドアを含む、請求項１２乃至２２のいずれか一項に記載のハウジング・アセンブリ。
【請求項２４】
最外環状部材により規定された外形を有するグリル部材をさらに備え、
前記最外環状部材は、前記複数のディフューザ部材の相互連結により形成されたディフューザの環状内部に接触可能である、請求項１２乃至２３のいずれか一項に記載のハウジング・アセンブリ。
【請求項２５】
前記オリフィス壁の周囲を維持すべく、前記オリフィス壁に結合されると共に当該オリフィス壁を取り囲む管状の支持部材をさらに備え、
前記管状の支持部材は、前記シュラウドに連結されたときの前記ディフューザにより少なくとも部分的に囲まれる容積内へ、前記ドア部材が動くための隙間を提供し、
ディフューザが、当該ディフェーザを前記オリフィス壁に対して位置合わせするべく、前記管状の支持部材に取り付けられている、請求項１２乃至２４のいずれか一項に記載のハウジング・アセンブリ。
【請求項２６】
前記ドアは、実質的に一定の素材厚さを有する素材から形成され、
前記ドアは、２つのＤからなるリブパターンをもつように形成され、
前記ドアにおける前記２つのＤからなるリブパターンは、前記素材厚さより大きいドア厚さを形成している、請求項１２乃至２５のいずれか一項に記載のハウジング・アセンブリ。
【請求項２７】
前記構造物の支持部材に取り付け可能である面壁部であって、前記支持部材の近傍に配置されるように構成された少なくとも１つの辺部分と、前記辺部分に隣接する隅部分と、当該シュラウドを貫通するように形成された通路と、を有する全体として幾何学的な形状を画成する面壁部、を有するシュラウドと、
前記面壁部から０°以外の角度で前記通路の周囲に延出して前記通路をさらに規定するオリフィス壁と、
外側面に接触し前記オリフィス壁を支持する支持部材と、
前記支持部材に接触し、前記支持部材を介して前記オリフィス壁から離間したディフェーザと、
第１端部と第２端部との間で前記オリフィス壁を貫通して延出する固定部材と、
ヒンジ収容部を有し、開放位置と閉鎖位置との間で移動させられるように構成された第１ドアと、
前記オリフィス壁を貫通するように形成された径をもち前記ヒンジ収容部に受け入れられるヒンジピンと、
第２ドアと、
前記第１ドアに成形された第１ストライカ収納部に配置される第１ストライカ部材及び前記第２ドアに成形された第２ストライカ収納部に配置される第２ストライカ部材と、
前記オリフィス壁に成形された第１磁性アセンブリ収納部内に押し込められる刻み目をもつサイドプレートを有する第１磁性アセンブリ、及び、前記オリフィス壁に成形され且つ前記第１磁性アセンブリ収納部から離間した第２磁性アセンブリ収納部に配置される第２磁性アセンブリと、
を備え、
前記第１ドア及び前記第２ドアを、一対の第１ヒンジピン及び一対の第２ヒンジピンのそれぞれの周りで前記オリフィス壁に対して回動させることにより、前記第１ドア及び前記第２ドアは前記通路に対する開放位置と閉鎖位置との間で移動可能であり、
前記閉鎖位置において、前記第１ストライカ部材は前記第１磁性アセンブリと磁性的に相互作用して前記第１ドアを前記閉鎖位置に維持することを支援するとともに、前記第２ストライカ部材は前記第２磁性アセンブリと磁性的に相互作用して前記第２ドアを前記閉鎖位置に維持することを支援し、
遷移半径が前記面壁部から前記オリフィス壁に至るまで形成され、遷移半径において前記オリフィス壁が前記面壁部から延び出し、前記遷移半径は、前記辺部分における第１遷移半径と前記隅部分における第２遷移半径とを有し、
前記固定部材の前記第１端部は、選択的にディフューザと結合され、前記固定部材の前記第２端部は、前記第１ドアを前記シュラウドに向かって付勢する付勢部材を介して第１ドアに結合され、
前記第１遷移半径は前記第２遷移半径より小さい、送風機部のためのハウジング・アセンブリ。
【請求項２８】
前記第１遷移半径は、約０．２５ミリメータ（ｍｍ）（約０．０１インチ）乃至約７．６ｍｍ（約０．３インチ）であり、
前記第２遷移半径は、約７６ｍｍ（約３インチ）乃至約１０１ｍｍ（約４インチ）である、請求項２７に記載のハウジング・アセンブリ。
【請求項２９】
前記第１遷移半径は、前記第２遷移半径の約１０倍よりも大きい、請求項２７または２８に記載のハウジング・アセンブリ。
【請求項３０】
タブとスロットとの連結により互いに連結される複数のディフューザ部材を有するディフューザ・アセンブリをさらに備え、
前記複数のディフューザ部材のうちの第１ディフューザ部材の噛合い面に平面的に整列して延出する第１のタブが、前記複数のディフューザ部材のうちの第２ディフューザ部材の協働スロットを通るように配置され、
前記複数のディフューザ部材のそれぞれは、第１端部及び第２端部において前記複数のディフューザ部材のうちの他のディフューザ部材と連結され、
前記複数のディフューザ部材のそれぞれは、実質的に平坦な第１主面と、対向する第２主面と、を有し、
前記第２主面は、前記第１辺部分と前記第２辺部分との間に延出し、
前記ディフューザ・パネルのそれぞれはプラスチックから形成される、請求項２７乃至２９のいずれか一項に記載のハウジング・アセンブリ。